(57)【特許請求の範囲】
【請求項１】
ゴルフ打ちっ放し練習場や家庭等において設置されるゴルフ練習装置であって、周縁を固定した状態の練習面を一定の高さのある枠体上に設け、枠体内には、モーターで水平に回転駆動される横軸と、同横軸上に配備された球形の駆動ローラーとを設け、同枠体内に多数個の使用済ゴルフボールを入れた状態にして駆動ローラー付き横軸を回転駆動させることで人工芝が上下に自在に変形し得るようにしたゴルフ練習装置。
【発明の詳細な説明】
【０００１】
【発明の属する技術分野】
この発明は、ゴルフ打ちっ放し練習場や家庭等に設置可能なゴルフ練習装置に関する。
【０００２】
【従来の技術】
例えば、ゴルフ打ちっ放し練習場の練習面には、一般に人工芝が敷設されていて、その面を介して打ちっ放しの練習をする。
【０００３】
【発明が解決しようとする課題】
しかし、この練習面は平坦なものであるため、練習が単調であり、その一方において、実際にグリーンに出て試合をする場合には、平坦な面ばかりでなく、例えば、ラフやバンカーなどがあるように凹凸や傾斜面など様々であるため、平坦な面だけの練習では良い成果が期待できない。
この発明は前記課題を解決するためになされたもので、実戦により則した効果的練習が可能になるようにしたゴルフ練習装置を提供することを目的とする。
【０００４】
【課題を解決するための手段】
前記課題を解決するため、請求項１記載の発明は、ゴルフ打ちっ放し練習場や家庭等において設置されるゴルフ練習装置であって、周縁を固定した状態の練習面を一定の高さのある枠体上に設け、枠体内には、モーターで水平に回転駆動される横軸と、同横軸上に配備された球形の駆動ローラーとを設け、同枠体内に多数個の使用済ゴルフボールを入れた状態にして駆動ローラー付き横軸を回転駆動させることで人工芝が上下に自在に変形し得るようにした。
【０００５】
【発明の実施の形態】
以下、図示した実施形態を参照してこの発明を詳細に説明する。
【０００６】
図１はその好適な一実施形態を示し、１は打ちっ放し練習場に形成された凹所を有する枠体で、同枠体１は、金属板や樹脂、木材等により形成される。
【０００７】
家庭においては、庭を掘って形成したり、コンクリートであれば枠体１を枠体として同コンクリート上に設置するようにしてもよい。
【０００８】
この枠体１は上からみて矩形であるが、丸形であったり多角形状であってもよい。
【０００９】
２は練習面で、人工芝３の上面に相当する。
【００１０】
人工芝３は枠体１に略対応した形状の基台４の上に貼り付けられており、同基台４は、中央の支点軸５を介して前後に傾動可能になっている。
【００１１】
６は基台４の底に取り付けられたブラケット、７は枠体１の側から立設された軸受体であり、軸受体７は、コンクリート等による取付ブロック８から立設されている。
【００１２】
尚、軸受体７は、枠体１に固定してもよい。
【００１３】
１０は取付ブロック８から立設された支持筒で、同支持筒１０には、油圧あるいは水圧、空圧などの流体圧シリンダ１１が縦向きに挿通固定され、同シリンダ１１のロッド１２先端のローラーが基台４の長孔１３に係合している。
【００１４】
図１の実線は、人工芝３が水平な状態を示しており、フロア１４に埋設した制御ボックス１５を操作することで、仮想線で示すように、練習面２を前後所望の角度に傾斜可能になっている。従って、練習面２を傾斜させることで、実戦さながらの練習ができるようになる。
【００１５】
図２に示す実施形態は、練習面２を凹凸状にした人工芝３を備える基台４にしたもので、この実施形態でも支持軸５を介して傾動自在なものであるが、同図示のようにシリンダ１１を水平軸向きに設置してもよい。尚、以下の実施形態でも同様であるが、人工芝３は本芝にして交換自在にすることができる。
【００１６】
図３に示す実施形態は、基台４の中に砂１７を入れてこれを傾動自在にしたものであり、バンカーショットなどの練習に適している。
【００１７】
図４に示す実施形態は、人工芝３についての具体的な例で、同人工芝３の底盤部１９に変形を自在にする溝１９ａ…を形成してある。この溝１９ａは耐久性を高めるため丸溝状になっている。
【００１８】
図５に示す実施形態は、油圧、水圧あるいは空圧等の流体圧シリンダ２１…を平面上複数配列しておき、同シリンダ２１…のロッド２２上端に丸傘状の受け板２３を備えてこれらを個別的に上下運動可能にしたものである。仮想線は人工芝３を示している。
【００１９】
図６に示す実施形態は、他の駆動方式を示すもので、傾斜状の駆動軸２５に直交方向のローラー軸２６を１本あるいは複数本突設し、ローラー軸２６に球形をしたローラー２７…を回転自在に配列したものである。駆動軸２５を回転させることでローラー２７…が傾斜面上を回転運動しながら人工芝３を凹凸変形させるのである。
【００２０】
図７、図８に示す実施形態は、駆動手段を空気圧方式で膨・縮運動するエアーバッグ２９…にしてこれらを適宜に膨・縮させることでその上の人工芝３に凹凸をつけるようにしたものである。尚、エアーバッグ２９は、できるだけ変形しにくいものにすれば練習が安定して行える。また、エアーに代えて水を用いることもできる。
【００２１】
図９に示す実施形態は、練習装置の人工芝３に向けて上方からシャワーをかけるようにシャワー装置３２を設置したものである。これは実戦で降雨があることを考慮したためである。この場合、実戦と同様に防雨具を着て練習することができる。また、同時に図示するように、風を発生させる扇風機３３を設置してもよい。
【００２２】
図１０に示す実施形態は、一定の高さをもつ枠体１内に多数個の使用済ゴルフボール３５…を入れておき、同枠体１内に、モーター３６で水平に回転駆動される横軸３７と、同横軸３７上に配備した異なる球径をした駆動ローラー３８…とを構成したものであり、横じく３７が水平に回転駆動されながら駆動ローラー３８がゆっくり回転駆動されることで上面を練習面とする人工芝３が上下に自在に変形し、その変形した練習面を使用してゴルフの練習をするようにしたものである。
【００２３】
尚、図１０に示すように、人工芝３の周縁は牽きゴム４０などの手段で引っ張るようにしてもよい。これは前記各実施形態の全てに適用できる。また、人工芝３の周縁をアンカーで固定してもよい。さらに、図１から図１０までの実施形態においては、傾動させたあとその状態に一旦ロックされるが、傾動を継続することは自由である。
また、前記実施形態では、主にショットの練習用に構成されていたが、グリーンにおけるパットを想定した練習装置を同様に構成してもよい。
さらに、人工芝をラフ状態にしてラフショットに適したものに交換自在にすることもできる。
【００２４】
【発明の効果】
この発明は以上のように構成されているので、平坦な場所は勿論傾斜面や複合傾斜したようなグリーン面での練習が、より実戦に則したものとして効果的な練習が可能になる。
【図面の簡単な説明】
【図１】この発明の一実施形態であるゴルフ練習装置を示す側断面図。
【図２】他の練習装置を示す側面図。
【図３】砂を基台内に入れた例を示す側断面図。
【図４】人工芝を曲がり易くした例を示す側断面図。
【図５】流体圧駆動方式の他の例を示す側断面模式図。
【図６】他の駆動方式を示す側面模式図。
【図７】エアーバッグ方式の一例を示す平面図。
【図８】図７の側面図。
【図９】練習装置にシャワー装置や扇風機を設置した例を示す側面図。
【図１０】使用済ゴルフボールを利用して人工芝を凹凸変形させる例を示す側断面図。
【符号の説明】
２…練習面  ３…人工芝  ４…基台  １１，２１，２９…流体圧駆動手段  ３２…シャワー装置。
【図１】
0003785545.tif 000002
【図２】
0003785545.tif 000003
【図３】
0003785545.tif 000004
【図４】
0003785545.tif 000005
【図５】
0003785545.tif 000006
【図６】
0003785545.tif 000007
【図７】
0003785545.tif 000008
【図８】
0003785545.tif 000009
【図９】
0003785545.tif 000010
【図１０】
0003785545.tif 000011